(57)【要約】      （修正有）【課題】維持放電回路で別途のエネルギー回収用キャパシタを使用しないプラズマ表示装置及びその駆動装置と駆動方法の提供。【解決手段】複数の第１電極と複数の第２電極により容量成分Ｃｐが形成されたプラズマ表示装置であり、第１グループの第１電極にインダクタＬの第１端が連結、トランジスタＳ１がＶｓ電圧を供給する電源Ｖａと第１グループの第１電極の間に連結、トランジスタＳ３が電源Ｖｓと第２グループの第１電極の間に連結、トランジスタＳ４が第１電極と接地端の間に連結、トランジスタ２が第１電極と接地端の間に連結される。Ｄ１のアノードはＬの第２端に連結、Ｄ１のカソードにはＳ５のドレインが連結、Ｄ２のアノードとカソードはＳ５のソースと第２グループの第１電極に各々連結、Ｄ３のアノードとカソードは各々第２グループの第１電極とＳ５のドレインに連結、Ｄ４のアノードとカソードはＳ５のソースとインダクタＬの第２端に連結される。【選択図】図３
2007128073.tif 000002
【特許請求の範囲】
【請求項１】
複数の第１電極と、
前記複数の第１電極との間で容量成分を形成する複数の第２電極と、
前記複数の第１電極のうちの第１グループの第１電極と第１電圧を供給する第１電源の間に電気的に連結されている第１トランジスタと、
前記複数の第１電極のうちの第２グループの第１電極と第２電圧を供給する第２電源の間に電気的に連結されている第２トランジスタと、
前記第２グループの第１電極と前記第１電源の間に電気的に連結されている第３トランジスタと、
前記第１グループの第１電極と前記第２電源の間に電気的に連結されている第４トランジスタと、
前記第１グループの第１電極に第１端が電気的に連結されているインダクタと、
前記インダクタの第２端にアノードが電気的に連結されている第１ダイオードと、
前記第１ダイオードのカソードに第１端が電気的に連結されている第５トランジスタと、
前記第５トランジスタの第２端にアノードが電気的に連結されており、前記第２グループの第１電極にカソードが電気的に連結されている第２ダイオードと、
前記第２グループの第１電極にアノードが電気的に連結されており、前記第５トランジスタの第１端にカソードが電気的に連結されている第３ダイオードと、
前記第５トランジスタの第２端にアノードが電気的に連結されており、前記インダクタの第２端にカソードが電気的に連結されている第４ダイオードと、
を含むプラズマ表示装置。
【請求項２】
前記第１グループ及び前記第２グループは各々少なくとも一つの第１電極を含む、請求項１に記載のプラズマ表示装置。
【請求項３】
前記第１グループの第１電極は前記複数の第１電極のうちの奇数番目第１電極であり、前記第２グループの第１電極は前記複数の第１電極のうちの偶数番目第１電極である、請求項１に記載のプラズマ表示装置。
【請求項４】
第１期間の間に前記第５トランジスタを導通状態に設定し、第２期間の間に前記第３及び第４トランジスタを導通状態に設定し、第３期間の間に前記第５トランジスタを導通状態に設定し、第４期間の間に前記第１及び第２トランジスタを導通状態に設定する制御部をさらに含む、請求項１乃至３のいずれかに記載のプラズマ表示装置。
【請求項５】
前記第２電圧は接地電圧であり、前記第１電圧は正の電圧である、請求項１乃至３のいずれかに記載のプラズマ表示装置。
【請求項６】
前記第１電圧は正の電圧であり、前記第２電圧は負の電圧である、請求項１乃至３のいずれかに記載のプラズマ表示装置。
【請求項７】
複数の第１電極及び複数の第２電極を含み、前記第１電極と前記第２電極の間で容量成分が形成されたプラズマ表示装置を駆動する方法であって、
第１期間の間に、前記複数の第１電極のうちの第１グループの第１電極、前記第１グループの第１電極に第１端が電気的に連結されたインダクタ、前記インダクタの第２端と電気的に連結されている前記複数の第１電極のうちの第２グループの第１電極によって第１経路を形成して前記インダクタと前記容量成分とで共振回路を形成させて、前記第１グループの第１電極の電圧を減少させ前記第２グループの第１電極の電圧を増加させる段階と、
第２期間の間に、前記第２グループの第１電極に第１電圧を印加し、前記第１グループの第１電極に前記第１電圧より低い第２電圧を印加する段階と、
第３期間の間に、前記第２グループの第１電極、前記インダクタ及び前記第１グループの第１電極が電気的に連結された第２経路を形成し、前記インダクタと前記容量成分とで共振回路を形成させて、前記第１グループの第１電極の電圧を増加させ前記第２グループの第１電極の電圧を減少させる段階と、
第４期間の間に、前記第１グループの第１電極に前記第１電圧を印加し、前記第２グループの第１電極に前記第２電圧を印加する段階と、
を含み、前記第１乃至第４期間を繰り返し実行する、プラズマ表示装置の駆動方法。
【請求項８】
前記第１期間及び前記第３期間は、前記インダクタの第２端と前記第２グループの第１電極との間に電気的に連結されているトランジスタが導通することにより前記第１経路及び前記第２経路がそれぞれ形成される、請求項７に記載のプラズマ表示装置の駆動方法。
【請求項９】
前記第４期間の間に、前記複数の第２電極のうちの第１グループの第２電極に前記第２電圧を印加し、前記複数の第２電極のうちの第２グループの第２電極に前記第１電圧を印加する段階と、
前記第２期間の間に、前記第１グループの第２電極に前記第１電圧を印加し、前記第２グループの第２電極に前記第２電圧を印加する段階をさらに含む、請求項７に記載のプラズマ表示装置の駆動方法。
【請求項１０】
前記第２電圧は接地電圧であり、前記第１電圧は正の電圧である、請求項９に記載のプラズマ表示装置の駆動方法。
【請求項１１】
複数の第１電極と複数の第２電極を含み、前記第１電極と前記第２電極の間で容量成分が形成されたプラズマ表示装置を駆動する装置において、
前記複数の第１電極のうちの第１グループの第１電極と第１電圧を供給する第１電源の間に電気的に連結されている第１トランジスタと、
前記複数の第１電極のうちの第２グループの第１電極と第２電圧を供給する第２電源の間に電気的に連結されている第２トランジスタと、
前記第２グループの第１電極と前記第１電源の間に電気的に連結されている第３トランジスタと、
前記第１グループの第１電極と前記第２電源の間に電気的に連結されている第４トランジスタと、
前記第１グループの第１電極に第１端が電気的に連結されているインダクタと、
前記インダクタの第２端と前記第２グループの第１電極の間に電気的に連結されている第５トランジスタを含み、前記インダクタの第２端と前記第２グループの第１電極の間が電気的に連結されて形成された第１経路と、
前記第５トランジスタを含み、前記第２グループの第１電極と前記インダクタの第２端の間が電気的に連結されて形成された第２経路と、
を含む、プラズマ表示装置の駆動装置。
【請求項１２】
前記第１経路は、
前記インダクタの第２端にアノードが電気的に連結されており、前記第５トランジスタの第１端にカソードが電気的に連結されている第１ダイオードと、
前記第５トランジスタの第２端にアノードが電気的に連結されており、前記第２グループの第１電極にカソードが電気的に連結されている第２ダイオードをさらに含む、請求項１１に記載のプラズマ表示装置の駆動装置。
【請求項１３】
前記第２経路は、
前記第２グループの第１電極にアノードが電気的に連結されており、前記第５トランジスタの第１端にカソードが電気的に連結されている第３ダイオードと、
前記第５トランジスタの第２端にアノードが電気的に連結されており、前記インダクタの第２端にカソードが電気的に連結されている第４ダイオードをさらに含む、請求項１２に記載のプラズマ表示装置の駆動装置。
【請求項１４】
前記第１及び第２トランジスタを導通して前記第１グループの第１電極に前記第１電圧を印加し、前記第２グループの第１電極に第２電圧を印加し、
前記第５トランジスタを導通して前記第１グループの第１電極の電圧を前記第１電圧から前記第２電圧まで減少させ、前記第２グループの第１電極の電圧を前記第２電圧から前記第１電圧まで増加させ、
前記第３及び第４トランジスタを導通して前記第１グループの第１電極に前記第２電圧を印加し、前記第２グループの第１電極に前記第１電圧を印加し、
前記第５トランジスタを導通して前記第１グループの第１電極の電圧を前記第２電圧から前記第１電圧まで増加させ、前記第２グループの第１電極の電圧を前記第１電圧から前記第２電圧に減少させる、請求項１１乃至１３のいずれかに記載のプラズマ表示装置の駆動装置。
【請求項１５】
前記第１グループの第１電極は前記複数の第１電極のうちの偶数番目第１電極であり、前記第２グループの第１電極は前記複数の第１電極のうちの奇数番目第１電極である、請求項１４に記載のプラズマ表示装置の駆動装置。
【発明の詳細な説明】
【技術分野】
【０００１】
本発明はプラズマ表示装置及びその駆動装置と駆動方法に関し、特にプラズマ表示装置のエネルギー回収回路に関するものである。
【背景技術】
【０００２】
プラズマ表示装置は気体放電によって生成されたプラズマを利用して文字または映像を表示する装置である。一般にプラズマ表示装置は一つのフレームが複数のサブフィールドに分割されて駆動される。各サブフィールドのアドレス期間の間に点灯されるセルと点灯されないセルが選択され、維持期間の間に実際に映像を表示するために点灯されるセルに対して維持放電が行われる。
【０００３】
特に、維持期間の間に維持放電を行う電極にハイレベル電圧とローレベル電圧を交互に印加する。ここで、維持放電を行う走査電極と維持電極が形成された面の間の放電空間は容量性負荷として作用し、この容量性負荷によって、ハイレベル電圧とローレベル電圧を印加する時、放電のための電力の他に無効電力が必要である。このような無効電力を回収して再使用するために、一般にエネルギー回収回路を使用する。一方、エネルギー回収回路は一般にエネルギーを供給して回収するエネルギー回収用キャパシタを別途に使用し、このエネルギー回収用キャパシタは容量が大きいものを使用するため原価上昇の原因となる。
【発明の開示】
【発明が解決しようとする課題】
【０００４】
そこで、本発明が目的とする技術的課題は、維持放電回路で別途のエネルギー回収用キャパシタを使用しないプラズマ表示装置及びその駆動装置と駆動方法を提供することにある。
【課題を解決するための手段】
【０００５】
前記目的を達成するための本発明は、複数の第１電極と、前記複数の第１電極との間で容量成分を形成する複数の第２電極と、前記複数の第１電極のうちの第１グループの第１電極と第１電圧を供給する第１電源の間に電気的に連結されている第１トランジスタと、前記複数の第１電極のうちの第２グループの第１電極と第２電圧を供給する第２電源の間に電気的に連結されている第２トランジスタと、前記第２グループの第１電極と前記第１電源の間に電気的に連結されている第３トランジスタと、前記第１グループの第１電極と前記第２電源の間に電気的に連結されている第４トランジスタと、前記第１グループの第１電極に第１端が電気的に連結されているインダクタと、前記インダクタの第２端にアノードが電気的に連結されている第１ダイオードと、前記第１ダイオードのカソードに第１端が電気的に連結されている第５トランジスタと、前記第５トランジスタの第２端にアノードが電気的に連結されており、前記第２グループの第１電極にカソードが電気的に連結されている第２ダイオードと、前記第２グループの第１電極にアノードが電気的に連結されており、前記第５トランジスタの第１端にカソードが電気的に連結されている第３ダイオードと、前記第５トランジスタの第２端にアノードが電気的に連結されており、前記インダクタの第２端にカソードが電気的に連結されている第４ダイオードと、を含むプラズマ表示装置である。
【０００６】
ここで、前記第１グループの第１電極は前記複数の第１電極のうちの奇数番目第１電極であり、前記第２グループの第１電極は前記複数の第１電極のうちの偶数番目第１電極である。そして、前記プラズマ表示装置は、第１期間の間に前記第５トランジスタを導通状態に設定し、第２期間の間に前記第３及び第４トランジスタを導通状態に設定し、第３期間の間に前記第５トランジスタを導通状態に設定し、第４期間の間に前記第１及び第２トランジスタを導通状態に設定する制御部をさらに含む。
【０００７】
また、前記目的を達成するための本発明は、複数の第１電極及び複数の第２電極を含み、前記第１電極と前記第２電極の間で容量成分が形成されたプラズマ表示装置を駆動する方法であって、第１期間の間に、前記複数の第１電極のうちの第１グループの第１電極、前記第１グループの第１電極に第１端が電気的に連結されたインダクタ、前記インダクタの第２端と電気的に連結されている前記複数の第１電極のうちの第２グループの第１電極によって第１経路を形成して前記インダクタと前記容量成分とで共振回路を形成させて、前記第１グループの第１電極の電圧を減少させ前記第２グループの第１電極の電圧を増加させる段階と、第２期間の間に、前記第２グループの第１電極に第１電圧を印加し、前記第１グループの第１電極に前記第１電圧より低い第２電圧を印加する段階と、第３期間の間に、前記第２グループの第１電極、前記インダクタ及び前記第１グループの第１電極が電気的に連結された第２経路を形成し、前記インダクタと前記容量成分とで共振回路を形成させて、前記第１グループの第１電極の電圧を増加させ前記第２グループの第１電極の電圧を減少させる段階と、第４期間の間に、前記第１グループの第１電極に前記第１電圧を印加し、前記第２グループの第１電極に前記第２電圧を印加する段階と、を含み、前記第１乃至第４期間を繰り返し実行する、プラズマ表示装置の駆動方法である。
【０００８】
さらに前記目的を達成するための本発明は、複数の第１電極と複数の第２電極を含み、前記第１電極と前記第２電極の間で容量成分が形成されたプラズマ表示装置を駆動する装置において、前記複数の第１電極のうちの第１グループの第１電極と第１電圧を供給する第１電源の間に電気的に連結されている第１トランジスタと、前記複数の第１電極のうちの第２グループの第１電極と第２電圧を供給する第２電源の間に電気的に連結されている第２トランジスタと、前記第２グループの第１電極と前記第１電源の間に電気的に連結されている第３トランジスタと、前記第１グループの第１電極と前記第２電源の間に電気的に連結されている第４トランジスタと、前記第１グループの第１電極に第１端が電気的に連結されているインダクタと、前記インダクタの第２端と前記第２グループの第１電極の間に電気的に連結されている第５トランジスタを含み、前記インダクタの第２端と前記第２グループの第１電極の間が電気的に連結されて形成された第１経路と、前記第５トランジスタを含み、前記第２グループの第１電極と前記インダクタの第２端の間が電気的に連結されて形成された第２経路と、を含む、プラズマ表示装置の駆動装置である。ここで、前記第１経路は、前記インダクタの第２端にアノードが電気的に連結されており、前記第１トランジスタの第１端にカソードが電気的に連結されている第１ダイオードと、前記第５トランジスタの第２端にアノードが電気的に連結されており、前記第２グループの第１電極にカソードが電気的に連結されている第２ダイオードをさらに含む。そして、前記第２経路は、前記第２グループの第１電極にアノードが電気的に連結されており、前記第５トランジスタの第１端にカソードが電気的に連結されている第３ダイオードと、前記第５トランジスタの第２端にアノードが電気的に連結されており、前記インダクタの第２端にカソードが電気的に連結されている第４ダイオードをさらに含む。
【発明の効果】
【０００９】
本発明によれば、プラズマ装置が持つ電極によって形成されている容量成分を利用しているため、エネルギー回収用キャパシタを別途に使用しないために維持放電回路の原価を減少させることができる。
【発明を実施するための最良の形態】
【００１０】
以下、添付した図面を参照して本発明の実施形態について本発明が属する技術分野における通常の知識を有する者が容易に実施できるように詳しく説明する。しかし、本発明は多様で相異なる形態で実現することができ、ここで説明する実施形態に限られない。そして、図面で本発明を明確に説明するために説明上不必要な部分は省略しており、明細書全体にわたって類似な部分については同一図面符号を付けた。
【００１１】
明細書全体において、ある部分が他の部分と“連結”されているとする時、これは“直接的に連結”されている場合だけでなく、その中間に他の素子を間において“電気的に連結”されている場合も含む。またある部分がある構成要素を“含む”とする時、これは特に反対になる記載がない限り、他の構成要素を除くわけではなく、他の構成要素をさらに含むことができることを意味する。
【００１２】
そして、明細書全体で電圧を維持するという表現は、特定２点間の電位差が時間経過によって変化しても、その変化が設計上許容できる範囲内であるか、変化の原因が当業者の設計慣行では無視されている寄生成分による場合を含む。また、放電電圧に比べて半導体素子（トランジスタ、ダイオード等）のしきい電圧が非常に低いので、しきい電圧を０Ｖと見なして近似処理する。
【００１３】
次に、本発明の実施形態によるプラズマ表示装置及びその駆動装置と駆動方法について図面を参照して詳細に説明する。
【００１４】
図１は本発明の実施形態によるプラズマ表示装置の概略的な概念図であり、図２は本発明の第１実施形態による維持放電パルスを示す図面である。
【００１５】
図１に示したように、本発明の実施形態によるプラズマ表示装置はプラズマ表示パネル１００、制御部２００、アドレス電極駆動部３００、維持電極駆動部４００及び走査電極駆動部５００を含む。
【００１６】
プラズマ表示パネル１００は列方向に伸びている複数のアドレス電極Ａ１〜Ａｍ、そして行方向に互いに対をなして伸びている複数の維持電極（第１電極）Ｘ１〜Ｘｎ及び走査電極（第２電極）Ｙ１〜Ｙｎを含む。
【００１７】
一般に各維持電極Ｘ１〜Ｘｎは各走査電極Ｙ１〜Ｙｎに対応して形成されており、走査電極Ｙ１〜Ｙｎと維持電極Ｘ１〜Ｘｎはアドレス電極Ａ１〜Ａｍと直交して配置される。この時、アドレス電極Ａ１〜Ａｍと維持電極及び走査電極Ｘ１〜Ｘｎ、Ｙ１〜Ｙｎの交差部にある放電空間が放電セル１１０を形成する。
【００１８】
制御部２００は外部から映像信号を受信して駆動制御信号を出力し、一つのフレームを各々の輝度加重値を持つ複数のサブフィールドに分割して駆動する。そして各サブフィールドはアドレス期間及び維持期間を含む。
【００１９】
アドレス電極駆動部３００、維持電極駆動部４００及び走査電極駆動部５００は制御部２００からの駆動制御信号によって各々アドレス電極Ａ１〜Ａｍ、維持電極Ｘ１〜Ｘｎ、及び走査電極Ｙ１〜Ｙｎに駆動電圧を印加する。
【００２０】
具体的には、各サブフィールドはアドレス期間の間にアドレス電極駆動部３００、維持電極４００、及び走査電極駆動部５００は複数の放電セル１００の中で当該サブフィールドで点灯される放電セルと点灯されない放電セルを選択する。
【００２１】
そして、各サブフィールドの維持期間の間に、図２に示したように維持電極駆動部４００は複数の維持電極Ｘ１〜Ｘｎのうちの奇数番目維持電極（以下、“Ｘｏｄｄ電極”（第１グループの第１電極）と言う）にハイレベル電圧Ｖｓ（第１電圧）及びローレベル電圧（第２電圧、ここでは０Ｖ（接地電圧））を交互に有する維持放電パルスを印加し、複数の維持電極Ｘ１〜Ｘｎのうちの偶数番目維持電極（以下、“Ｘｅｖｅｎ電極（第２グループの第１電極）”）に維持放電パルスをＸｏｄｄ電極に印加される維持放電パルスと反対位相で印加する。
【００２２】
そして、走査電極駆動部５００は複数の走査電極Ｙ１〜Ｙｎのうちの奇数番目走査電極（以下、“Ｙｏｄｄ電極”（第１グループの第２電極）と言う）に維持放電パルスをＸｏｄｄ電極に印加される維持放電パルスと反対位相で印加し、複数の走査電極Ｙ１〜Ｙｎのうちの偶数番目走査電極（以下、“Ｙｅｖｅｎ電極”（第２グループの第２電極）と言う）に維持放電パルスをＸｅｖｅｎ電極に印加される維持放電パルスと反対位相で印加する。
【００２３】
このようにすれば、互いに放電セルを形成するＸｏｄｄ電極とＹｏｄｄ電極の間及びＸｅｖｅｎ電極とＹｅｖｅｎ電極の間の電圧差がＶｓ電圧と−Ｖｓ電圧を交互に有し、その結果、点灯される放電セルで維持放電が所定回数だけ繰り返して行われる。そして、Ｘｏｄｄ電極の電圧及びＸｅｖｅｎ電極の電圧がＶｓ電圧に上昇する時と０Ｖ電圧に下降する時に互いに重なり、Ｙｏｄｄ電極の電圧及びＹｅｖｅｎ電極の電圧がＶｓ電圧に上昇する時と０Ｖ電圧に下降する時に互いに重なる。このように維持放電パルスを一部互いに重複させることによって、維持期間の時間を短縮することができる。
【００２４】
次に、図２の維持放電パルスを供給する維持放電回路について図３、図４、図５Ａ乃至図５Ｄを参照して詳細に説明する。
【００２５】
図３は本発明の第１実施形態による維持放電回路４１０の概略的な回路図である。図３では説明の便宜上複数の維持電極Ｘ１〜Ｘｎに連結される維持放電回路４１０のみを示しており、このような維持放電回路４１０は図１の維持電極駆動部４００に形成することができる。そして複数の走査電極Ｙ１〜Ｙｎに連結された維持放電回路５１０も図３の維持放電回路４１０と同一な構造を有してもよく、図３の維持放電回路４１０と異なる構造を有してもよい。
【００２６】
このような維持放電回路４１０はＸｏｄｄ電極とＸｅｖｅｎ電極の間に連結されてもよく、或いは複数の維持電極Ｘ１〜Ｘｎのうちの所定の一部維持電極の間にのみ連結されてもよい。そして維持放電回路４１０で互いに放電セルを形成するＸｏｄｄ電極とＹｏｄｄ電極間及びＸｅｖｅｎ電極とＹｅｖｅｎ電極間に形成される容量成分を各々パネルキャパシタＣｐで示した。
【００２７】
図３に示したように、本発明の第１実施形態による維持放電回路４１０は、第１〜第５トランジスタＳ１、Ｓ２、Ｓ３、Ｓ４、Ｓ５、第１〜第４ダイオードＤ１、Ｄ２、Ｄ３、Ｄ４、及びインダクタＬを含む。
【００２８】
図３ではトランジスタＳ１〜Ｓ５をｎチャンネル電界効果トランジスタ、すなわちＮＭＯＳ（ｎ−ｃｈａｎｎｅｌ  ｍｅｔａｌ  ｏｘｉｄｅ  ｓｅｍｉｃｏｎｄｕｃｔｏｒ）トランジスタで示しており、これらトランジスタＳ１〜Ｓ５にはソースからドレイン方向にボディーダイオードが形成されている。なお、ＮＭＯＳトランジスタの代わりに類似な機能を果たす他のトランジスタがこれらトランジスタＳ１〜Ｓ５に使用されてもよい。また、図３ではトランジスタＳ１〜Ｓ５を各々一つのトランジスタで示したが、トランジスタＳ１〜Ｓ５は各々並列に連結された複数のトランジスタで形成することもできる。
【００２９】
図３を見れば、トランジスタＳ１のドレインは維持放電パルスのハイレベル電圧Ｖｓを供給する電源Ｖｓ（第１電源）に連結されており、トランジスタＳ１のソース及びトランジスタＳ４のドレインはＸｏｄｄ電極に連結されている。トランジスタＳ３のドレインは電源Ｖｓに連結されており、トランジスタＳ３のソース及びトランジスタＳ２のドレインはＸｅｖｅｎ電極に連結されている。そしてトランジスタＳ４のソース及びトランジスタＳ２のソースは維持放電パルスのローレベ電圧、つまり、接地電圧（０Ｖ）を供給する接地端に連結されている。
【００３０】
インダクタＬの第１端がＸｏｄｄ電極に連結されており、インダクタＬの第２端にダイオードＤ１のアノード及びダイオードＤ４のカソードが連結されている。ダイオードＤ１のカソードにトランジスタＳ５のドレインが連結されており、ダイオードＤ４のアノードにトランジスタＳ５のソースが連結されている。そしてダイオードＤ３のアノード及びダイオードＤ２のカソードはＸｅｖｅｎ電極に連結されており、ダイオードＤ３のカソードはトランジスタＳ５のドレインに連結され、ダイオードＤ２のアノードはトランジスタＳ５のソースに連結されている。ここで、ダイオードＤ１、Ｄ２はトランジスタＳ５の導通時にＸｏｄｄ電極からＸｅｖｅｎ電極に電流経路を形成させ、ダイオードＤ３、Ｄ４はトランジスタＳ５の導通時にＸｅｖｅｎからＸｏｄｄ電極に電流経路を形成させる。
【００３１】
次に、図３の維持放電回路４１０の動作について図４、図５Ａ乃至図５Ｄを参照して詳細に説明する。
【００３２】
図４は本発明の第１実施形態による維持放電回路４１０の信号タイミング図であり、図５Ａ乃至図５Ｄは図４の信号タイミングによる図３の維持放電回に４１０の動作を示す図面である。
【００３３】
まず、モード１（Ｍ１）の前にＸｏｄｄ電極にＶｓ電圧が印加され、Ｘｅｖｅｎ電極に０Ｖ電圧が印加されていると仮定する。ここで、トランジスタＳ１、Ｓ２の導通によってＸｏｄｄ電極にＶｓ電圧が印加され、Ｘｅｖｅｎ電極に接地電圧（０Ｖ）が印加できる（後述モード４と同じ）。
【００３４】
次に、図４及び図５Ａを見れば、モード１（Ｍ１、これを第１期間とする）ではトランジスタＳ５が導通して、図５Ａに示したようにＸｏｄｄ電極、インダクタＬ、ダイオードＤ１、トランジスタＳ５、ダイオードＤ２及びＸｅｖｅｎ電極の経路（第１経路）が形成されて、パネルキャパシタＣｐとインダクタＬによる共振回路が形成されパネルキャパシタＣｐとインダクタＬによる共振が起こる。その結果、Ｘｏｄｄ電極に充電されたエネルギーがインダクタＬを通ってＸｅｖｅｎ電極に回収されて、Ｘｏｄｄ電極の電圧（Ｖｘ＿ｏｄｄ）はＶｓ電圧から接地電圧（０Ｖ）まで減少し、Ｘｅｖｅｎ電極の電圧（Ｖｘ＿ｅｖｅｎ）は接地電圧（０Ｖ）からＶｓ電圧まで増加する。つまり、Ｘｏｄｄ電極に充電されていたエネルギーがＸｅｖｅｎ電極に回収される。
【００３５】
モード２（Ｍ２、これを第２期間とする）ではトランジスタＳ５が遮断されてトランジスタＳ３、Ｓ４が導通し、図５Ｂに示したようにＸｏｄｄ電極、トランジスタＳ４及び接地端の経路を通じてＸｏｄｄ電極に接地電圧（０Ｖ）が印加され、電源Ｖｓ、トランジスタＳ３、Ｘｅｖｅｎ電極の経路を通じてＸｅｖｅｎ電極にＶｓ電圧が印加される。
【００３６】
モード３（Ｍ３、これを第３期間とする）ではトランジスタＳ３、Ｓ４が遮断されてトランジスタＳ５が導通し、図５Ｃに示したようにＸｅｖｅｎ電極、ダイオードＤ３、トランジスタＳ５、ダイオードＤ４、インダクタＬ及びＸｏｄｄ電極の経路（第２経路）が形成されて、パネルキャパシタＣｐとインダクタＬによる共振回路が形成されパネルキャパシタＣｐとインダクタＬによる共振が起こる。その結果、Ｘｅｖｅｎ電極に充電されたエネルギーがインダクタＬを通ってＸｏｄｄ端に回収され、Ｘｅｖｅｎ電極の電圧（Ｖｘ＿ｅｖｅｎ）はＶｓ電圧から接地電圧（０Ｖ）まで減少し、Ｘｏｄｄ電極の電圧（Ｖｘ＿ｏｄｄ）は接地電圧（０Ｖ）からＶｓ電圧まで増加する。つまり、Ｘｅｖｅｎ電極に充電されていたエネルギーがＸｏｄｄ電極で再び回収される。
【００３７】
モード４（Ｍ４、これを第４期間とする）ではトランジスタＳ５が遮断されてトランジスタＳ１、Ｓ２が導通し、図５Ｄに示したように電源Ｖｓ、トランジスタＳ１及びＸｏｄｄ電極の経路を通じてＸｏｄｄ電極にＶｓ電圧が印加され、Ｘｅｖｅｎ電極、トランジスタＳ２及び接地端の経路を通じてＸｅｖｅｎ電極に接地電圧（０Ｖ）が印加される（この場合接地端が第２電源である）。このモード４がモード１の前の段階となって、モード１からモード４が繰り返し実行されることになる。
【００３８】
このように、本発明の第１実施形態では維持期間の間にモード１乃至４（Ｍ１〜Ｍ４）が当該サブフィールドの加重値に相当する回収だけ繰り返してＸｏｄｄ電極とＸｏｄｄ電極間に位相の異なる維持放電パルスを印加することができる。そして、モード１及びモード３において、Ｘｏｄｄ電極とＸｅｖｅｎ電極間にエネルギーを互いに交換することによって、別途のエネルギー回収用キャパシタを使用しないために費用が節減される。
【００３９】
そして、図２に示したように、本発明の第１実施形態でＹ電極に連結された維持放電回路５１０はＸｏｄｄ電極に印加される維持放電パルスと反対位相で維持放電パルスをＹｏｄｄ電極に印加し、Ｘｅｖｅｎ電極に印加される維持放電パルスと反対位相で維持放電パルスをＹｅｖｅｎ電極に印加する。
【００４０】
以上、本発明の第１実施形態ではＸｏｄｄ電極とＹｏｄｄ電極間及びＸｅｖｅｎ電極とＹｅｖｅｎ電極間にハイレベル電圧とローレベル電圧を交互に有する維持放電パルスを反対位相で印加する場合について説明したが、これとは異なって、維持電極（Ｘｏｄｄ電極、Ｘｅｖｅｎ電極）と走査電極（Ｙｏｄｄ電極、Ｙｅｖｅｎ電極）のうちのいずれか一つの電極にのみ維持放電パルスが印加されてもよい。以下ではこのような実施形態について図６及び図７を参照して詳細に説明する。
【００４１】
図６は本発明の第２実施形態による維持放電パルスを示す図面であり、図７は本発明の第２実施形態による維持放電回路４１０’の概略的な回路図である。
【００４２】
図６に示したように、本発明の第２実施形態では維持期間の間にＸｏｄｄ電極にＶｓ電圧（第１電圧）と−Ｖｓ電圧（第２電圧）を交互に持つ維持放電パルスが印加され、Ｘｅｖｅｎ電極に維持放電パルスがＸｏｄｄ電極に印加される維持放電パルスと反対位相で印加される。そして、複数の走査電極Ｙ１〜Ｙｎ（図６では便宜上Ｙで示している）には０Ｖ電圧が印加される。そしてＸｏｄｄ電極の電圧がＶｓ電圧から−Ｖｓ電圧に減少する時、Ｘｅｖｅｎ電極の電圧が−Ｖｓ電圧からＶｓ電圧に増加し、Ｘｏｄｄ電極の電圧が−Ｖｓ電圧からＶｓ電圧に増加する時、Ｘｅｖｅｎ電極の電圧がＶｓ電圧から−Ｖｓ電圧に減少する。このようにすれば、図２の維持放電パルスと同一にＸｏｄｄ電極とＹｏｄｄ電極の電圧差がＶｓ電圧と−Ｖｓ電圧を交互に有し、Ｘｅｖｅｎ電極とＹｅｖｅｎ電極の電圧差がＶｓ電圧と−Ｖｓ電圧を交互に有することができる。
【００４３】
図７に示されているように、第２実施形態による維持放電回路４１０’はトランジスタＳ２、Ｓ４各々のソースが−Ｖｓ電圧を供給する電源（−Ｖｓ、第２電源）に連結していることを除けば、第１実施形態と同一である。そして、この場合にもＸｏｄｄ電極とＸｅｖｅｎ電極間にエネルギーが互いに交換されて、別途のエネルギー回収用キャパシタを使用しなくてもよい。
【００４４】
そして図６及び図７ではＸｏｄｄ電極とＸｅｖｅｎ電極の間に維持放電回路４１０’が連結され、Ｙ電極には０Ｖ電圧が印加されると仮定したが、Ｙｏｄｄ電極とＹｅｖｅｎ電極の間に維持放電回路が連結され、Ｘ電極に０Ｖ電圧が印加されることもある。
【００４５】
また、図７の回路でトランジスタＳ１、Ｓ３各々のドレインをＶｓ／２電圧を供給する電源に連結し、トランジスタＳ２、Ｓ４各々のソースを−Ｖｓ／２電圧を供給する電源に連結すれば、Ｖｓ／２電圧と−Ｖｓ／２電圧を交互に有する維持放電パルスが印加されることもできる。この場合にはＶｓ／２電圧と−Ｖｓ／２電圧を交互に有する維持放電パルスをＸｏｄｄ電極に印加される維持放電パルスと反対位相でＹｏｄｄ電極に印加することができ、Ｖｓ／２電圧と−Ｖｓ／２電圧を交互に有する維持放電パルスをＸｅｖｅｎ電極に印加される維持放電パルスと反対位相でＹｅｖｅｎ電極に印加することができる。
【００４６】
一方、前記で説明した本発明の実施形態では複数の維持電極Ｘ１〜ＸｎをＸｏｄｄ電極とＸｅｖｅｎ電極に分けてＸｏｄｄ電極とＸｅｖｅｎ電極の間に維持放電回路を位置させてＸｏｄｄ電極とＸｅｖｅｎ間にエネルギーを互いに交換することについて説明したが、複数の維持電極Ｘ１〜Ｘｎが少なくとも一つの維持電極を各々含む多数のグループに分けて、分けられたグループ間に前記で説明した本発明の実施形態による維持放電回路が位置することができる。
【００４７】
以上、本発明の実施形態について詳細に説明したが、本発明の権利範囲はこれに限定されず、請求範囲で定義している本発明の基本概念を利用した当業者の色々な変形及び改良形態もまた本発明の権利範囲に属する。
【図面の簡単な説明】
【００４８】
【図１】本発明の実施形態によるプラズマ表示装置の概略的な概念図である。
【図２】本発明の第１実施形態による維持放電パルスを示す図面である。
【図３】本発明の第１実施形態による維持放電回路の概略的な回路図である。
【図４】本発明の第１実施形態による維持放電回路の信号タイミング図である。
【図５Ａ】図４の信号タイミングによる図３の維持放電回路の動作を示す図面である。
【図５Ｂ】図４の信号タイミングによる図３の維持放電回路の他の動作を示す図面である。
【図５Ｃ】図４の信号タイミングによる図３の維持放電回路の他の動作を示す図面である。
【図５Ｄ】図４の信号タイミングによる図３の維持放電回路の他の動作を示す図面である。
【図６】本発明の第２実施形態による維持放電パルスを示す図面である。
【図７】本発明の第２実施形態による維持放電回路の概略的な回路図である。
【符号の説明】
【００４９】
１００…プラズマ表示パネル、
１１０…放電セル、
２００…制御部、
３００…アドレス電極駆動部、
４００…維持電極駆動部、
４１０、４１０’、５１０…維持放電回路、
５００…走査電極駆動部、
Ｃｐ…パネルキャパシタ、
Ｄ１〜Ｄ４…ダイオード、
Ｌ…インダクタ、
Ｓ１〜Ｓ５…トランジスタ、
Ｘｏｄｄ…複数の維持電極のうちの奇数番目維持電極、
Ｙｅｖｅｎ…複数の走査電極のうちの偶数番目走査電極、
Ｙｏｄｄ…複数の走査電極のうちの奇数番目維持電極、
Ａ１〜Ａｍ…アドレス電極、
Ｘ１〜Ｘｎ…維持電極、
Ｙ１〜Ｙｎ…走査電極。
【図１】
2007128073.tif 000003
【図２】
2007128073.tif 000004
【図３】
2007128073.tif 000005
【図４】
2007128073.tif 000006
【図５Ａ】
2007128073.tif 000007
【図５Ｂ】
2007128073.tif 000008
【図５Ｃ】
2007128073.tif 000009
【図５Ｄ】
2007128073.tif 000010
【図６】
2007128073.tif 000011
【図７】
2007128073.tif 000012